(57)【要約】      （修正有）【課題】ジャッキによるアンカーの緊張時の緊張力と、定着後の緊張材に作用している継続的な緊張力の双方を連続的に測定可能とするとともに、センターホール荷重計に出来るだけ正確に荷重が伝達するようにしたセンターホール型ジャッキ用受圧アダプターを提供する。【解決手段】中心に孔を有し、当該孔に通した緊張材３を把持して緊張するセンターホール型ジャッキに使用して緊張荷重を受け、センターホール荷重計１５に荷重を伝達する受圧アダプター２０であって、環状の表裏面のうち一方の面には、前記センターホール荷重計１５の上に載る環状面２３を有し、前記表裏面のうちの他方の面には、ジャッキ１２を支えるラムチェアー１４が載る環状面２４と、アンカーヘッド１に取付けた定着ナット５が載る環状面２５とを有している。【選択図】図１
0003148878.tif 000002
【実用新案登録請求の範囲】
【請求項１】
中心に孔を有し、当該孔に通した緊張材を把持して緊張するセンターホール型ジャッキに使用して緊張荷重を受け、センターホール荷重計に荷重を伝達する受圧アダプターであって、
環状の表裏面のうち一方の面には、前記センターホール荷重計の上に載る環状面を有し、
前記表裏面のうちの他方の面には、ジャッキを支えるラムチェアーが載る環状面と、アンカーヘッドに取付けた定着ナットが載る環状面とを有しており、
前記ラムチェアーが載る環状面と前記定着ナットが載る環状面とは、いずれか一方がより前記センターホール荷重計が載る支圧板に近接するよう段差を成すとともに、
前記支圧板からより遠い他方の環状面の裏面に、前記センターホール荷重計の上に載る環状面を有してしていることを特徴とする、
センターホール型ジャッキ用受圧アダプター。
【請求項２】
ラムチェアーが載る環状面と、前記定着ナットが載る環状面とのうち、前記支圧板により近接する方の環状面は、
その裏面にある前記センターホール荷重計の上に載る環状面よりも、より前記支圧板に近接していることを特徴とする、
請求項１に記載のセンターホール型ジャッキ用受圧アダプター。
【請求項３】
前記ラムチェアーが載る環状面が、前記定着ナットが載る環状面の外周側に位置しており、
前記ラムチェアーが載る環状面が、前記定着ナットが載る環状面よりも、より前記支圧板に近接する段差を成すとともに、
前記ラムチェアーが載る環状面と前記定着ナットが載る環状面とを繋ぐ面は、センターホール型ジャッキにより緊張する方向と平行な、円筒状を成す起立部となっていることを特徴とする、
請求項１又は２に記載のセンターホール型ジャッキ用受圧アダプター。
【請求項４】
前記アダプターの一部であって、前記センターホール荷重計の上に載る環状面を少なくとも一部に含む部分と、他の部分とは分離可能となっていることを特徴とする、
請求項３記載のセンターホール型ジャッキ用受圧アダプター。
【考案の詳細な説明】
【技術分野】
【０００１】
本考案は、中心に孔を有し、当該孔に通した緊張材を把持して緊張するセンターホール型ジャッキに使用して緊張荷重を受け、センターホール荷重計に荷重を伝達するための受圧アダプターに関するものである。
【背景技術】
【０００２】
グラウンドアンカーの緊張荷重を、設置後も継続的に測定し、緊張力の弛緩が生じていないか監視することが求められている。
この緊張力の継続的な荷重の測定には、例えば実用新案登録第３１３５９１６号に記載されているようなセンターホール型荷重計（ロードセル）が使用されることが多く、アンカーヘッドの下にこのセンターホール荷重計を設置しておき、ジャッキにより緊張力を導入した後、アンカーヘッドに緊張力を定着させ、ジャッキ力を解除し、それ以降のアンカーの緊張荷重を荷重計にて測定するものである。
【０００３】
他方、アンカーの緊張時には、前記した荷重計を使用せずに、緊張時の油圧の圧力を緊張荷重として検出しているのが現状である。
つまりは、アンカーによる緊張時と、アンカー設置後の緊張力とを別々の測定器によって測定するものであった。
【０００４】
前記したように、アンカー緊張時の緊張力を油圧ジャッキの内圧として検出し、アンカー設置後の緊張力を荷重変換器の歪みとして検出するという全く異なった検出方法によって測定すると、測定方法の違いから生まれる測定値の誤差が生じてしまう。
また、測定装置を二種用意する必要があるもので、その設置手間による作業ロスや、コストの面で不利益があった。
【０００５】
このような課題を解消するために、図４に示すように、センターホール荷重計ａの上に、平板又はリング状のアダプターｂを載せ、そのアダプターｂの上に、ジャッキｃの緊張力を受けるラムチェアーｄと、緊張材ｆを定着するアンカーヘッド・定着リングｅとの双方を、載ることを可能にするという手段が採用されている。
ジャッキｃの緊張力も、緊張材ｆに作用する緊張力も、アダプターｂを介してセンターホール荷重計ａに作用して、ジャッキｃ緊張時の緊張力と、その後の緊張材ｆに作用している継続的な緊張力の双方を計測可能となる。
しかしながら、ラムチェアーｄの底面の直径と、アンカーヘッド・定着リングｅの底面の直径が異なり、センターホール荷重計ａの直径と異なる直径を持つ方（図ではラムチェアーｄ）の荷重がアダプターｂに作用したとき、図に矢印で示すような大きな曲げがアダプターｂに作用してしまう。
この捩れが測定値に誤差を生じさせ、正確な緊張力を検知できないことが生じていた。
図５に示すのは、緊張材ｆに作用している継続的な緊張力を測定している状態を示している。
【０００６】
他方、ラムチェアーｄをアダプターｂの上に載せるとき、ラムチェアーｄの位置がズレずに安全に作業が行えるように、ラムチェアーガイドを設けることが望まれていた。
しかし、ラムチェアーガイドを別体でわざわざ設けるのは、それだけコストアップに繋がることとなる。
【特許文献１】実用新案登録第３１３５９１６号公報
【考案の開示】
【考案が解決しようとする課題】
【０００７】
解決しようとする課題は、ジャッキによる緊張時の緊張力と、緊張材に作用している継続的な緊張力の双方を測定可能とするとともに、センターホール荷重計に出来るだけ正確に荷重が伝達するようにするものである。
【課題を解決するための手段】
【０００８】
本考案にかかるセンターホール型ジャッキ用受圧アダプターは、
中心に孔を有し、当該孔に通した緊張材を把持して緊張するセンターホール型ジャッキに使用して緊張荷重を受け、センターホール荷重計に荷重を伝達する受圧アダプターであって、
環状の表裏面のうち一方の面には、前記センターホール荷重計の上に載る環状面を有し、
前記表裏面のうちの他方の面には、ジャッキを支えるラムチェアーが載る環状面と、アンカーヘッドに取付けた定着ナットが載る環状面とを有しており、
前記ラムチェアーが載る環状面と前記定着ナットが載る環状面とは、いずれか一方がより前記センターホール荷重計が載る支圧板に近接するよう段差を成すとともに、
前記支圧板からより遠い他方の環状面の裏面に、前記センターホール荷重計の上に載る環状面を有してしていることを特徴とする。
本考案にかかる他のセンターホール型ジャッキ用受圧アダプターは、
ラムチェアーが載る環状面と、前記定着ナットが載る環状面とのうち、前記支圧板により近接する方の環状面は、
その裏面にある前記センターホール荷重計の上に載る環状面よりも、より前記支圧板に近接していることを特徴とする
本考案にかかる他のセンターホール型ジャッキ用受圧アダプターは、
前記ラムチェアーが載る環状面が、前記定着ナットが載る環状面の外周側に位置しており、
前記ラムチェアーが載る環状面が、前記定着ナットが載る環状面よりも、より前記支圧板に近接する段差を成すとともに、
前記ラムチェアーが載る環状面と前記定着ナットが載る環状面とを繋ぐ面は、センターホール型ジャッキにより緊張する方向と平行な、円筒状を成す起立部となっていることを特徴とする。
本考案にかかる他のセンターホール型ジャッキ用受圧アダプターは、
前記アダプターの一部であって、前記センターホール荷重計が載る環状面を少なくとも一部に含む部分と、他の部分とは分離可能となっていることを特徴とする。
【考案の効果】
【０００９】
本考案は以上の構成より成り、以下の効果を得ることが可能である。
＜ａ＞ラムチェアーが載る環状面と定着ナットが載る環状面とは、いずれかがよりセンターホール荷重計が載る支圧板に近接するよう段差を成しており、支圧板からより遠い他方の環状面の裏面に、前記センターホール荷重計の上に載る環状面を有してしているため、ラムチェアーかアンカーヘッドのいずれか一方の荷重が、支圧板により近接する環状面に作用し、段差部分に曲げよりも引張り力として作用するため、それがセンターホール荷重計に載る部分に正確に伝わり、その下の荷重計で緊張力をより正確に検知できる。
＜ｂ＞ラムチェアーが載る環状面と、定着ナットが載る環状面とのうち、支圧板により近接する方の環状面は、その裏面にあるセンターホール荷重計の上に載る環状面よりも、より支圧板に近接していることにより、支圧板により近接する方の環状面に作用した荷重が、段差部分に確実に引張力として作用し、正確な測定が可能となる。
＜ｃ＞ラムチェアーが載る環状面が、定着ナットが載る環状面の外周側に位置しており、ラムチェアーが載る環状面が、定着ナットが載る環状面よりも、より支圧板に近接する段差を成し、ラムチェアーが載る環状面と定着ナットが載る環状面とを繋ぐ面は、センターホール型ジャッキにより緊張する方向と平行な、円筒状起立部となっていることで、その段差部分の表面がラムチェアーのガイドとなり、ラムチェアーの位置がズレずに、安全な緊張作業を行うことが可能である。
＜ｄ＞アダプターの一部であって、センターホール荷重計が載る環状面を少なくとも一部に含む部分と、他の部分とが分離可能となることで、ラムチェアーを撤去するときに、アダプターのリングナットからセンターホール荷重計へ荷重を伝達する部分を除いて、他の部分は分離して同じく撤去することが可能となる。
従って、残置する部分が少なくなって、その分コストを低減できる。
【実施例１】
【００１０】
以下、図に示す実施例に基づき、この考案を詳細に説明する。
＜１＞  グラウンドアンカー
グラウンドアンカーは、地盤に形成した削孔の地上に設置する支圧板４と、削孔内にグラウト材により定着したＰＣストランドなどの緊張材３と、その緊張材３を定着するアンカーヘッド１から成る。
アンカーヘッド１には、内周面がテーパ面となった複数のクサビ型保持部２が形成されており、そのクサビ型保持部２に配置されたクサビによって、各引張材３がアンカーヘッド１に定着されている。
アンカーヘッド１の外周面には雄ネジが刻設され、定着ナット５が螺合されている。
また、アンカーヘッド１の外周面の雄ネジには、後に述べる緊張装置のジャッキ１２によって引っ張る緊張ロッド１０も螺合して、ジャッキ１２によりアンカーヘッド１を引っ張る。
【００１１】
＜２＞  緊張装置
緊張装置は、センターホール型の油圧ジャッキ１２と、そのジャッキ１２によって往復動する緊張ロッド１０と、ジャッキ１２と緊張ロッド１０を連結する緊張ナット１１から成る。
以上の構成より成る緊張装置は、ジャッキ支圧台１３を介してラムチェアー１４の上に載る。
【００１２】
＜３＞  センターホール荷重計
センターホール荷重計１５は、円筒形状であって、その内部に荷重を検知するセンサが収納されている。
センターホール荷重計１５は、前記したグラウンドアンカーの支圧板４の上に、削孔を中心に囲むよう設置する。
【００１３】
＜４＞  受圧アダプター
受圧アダプター２０は、円環状の部材であって、一方側の円環状表面には、センターホール荷重計１５の上に載る環状面２３を有している。
また、他方の円環状表面には、ラムチェアー１４が載る環状面２４とアンカーヘッド１の定着ナット５が載る環状面２５を有している。
ラムチェアー１４が載る環状面２４と、定着ナット５が載る環状面２５とは、いずれか一方がより支圧板４に近接するよう段差をなしている。
図１に示す実施例では、円環状表面の内周側に定着ナット５が載る環状面２５が形成され、アダプター２０のその表裏反対側に、センターホール荷重計１５の上に載る環状面２３が形成されている。
円環状表面の外周側には、ラムチェアー１４が載る環状面２４が形成され、前記した定着ナット５が載る環状面２５よりも、支圧板４に近接している。
実施例では、ラムチェアー１４が載る環状面２４は、アダプター２０のその裏面にあるセンターホール荷重計１５の上に載る環状面２３よりも、より支圧板４に近接している。
環状面２４と環状面２５とを繋ぐ段差部分は、ジャッキ１２による緊張方向と平行な円筒状を成す起立部２６となっている。
以上のような受圧アダプター２０は、センターホール荷重計１５が載る環状面２３を一部に有する内周側部分２１と、起立面２６とラムチェアー１４が載る環状面２４とを有する外周側部分２２とに分割可能である。
ふたつの部分２１、２２は、外周に刻設された雄ネジと雌ネジのねじ込み式で組立て、分離が可能である。
【００１４】
＜５＞ラムチェアーのガイド
以上のような受圧アダプター２０の環状面２３を、センターホール荷重計１５の上に載せ、環状面２５の上にアンカーヘッド１の定着ナット５を載せる。
実施例では、このときラムチェアー１４が載る環状面２４よりも、定着ナット５が載る環状面２５の方が、支圧板４からより遠くに位置している。
そうして、定着ナット５が載る環状面２５の裏面に、センターホール荷重計１５が載る環状面２３が位置している。
アンカーヘッド１には、各クサビ型保持部２に緊張材３をクサビによって定着してある。
環状面２４の上にラムチェアー１４を載せ、ジャッキ支圧台１３を介してジャッキ１２を設置する。
このとき、受圧アダプター２０の起立部２６が、ラムチェアー１４の内側面に摺接して、ラムチェアー１４の位置のガイドとなる。
この状態によって、緊張時におけるラムチェアー１４の位置ズレも防ぐことができる。
アンカーヘッド１の外周の雄ネジに緊張ロッド１０の円筒形先端を螺合し、緊張ロッド１０の他端部に緊張ナット１１を螺合する。
【００１５】
＜６＞ジャッキによる緊張
グラウンドアンカーの緊張材３を、ジャッキ１２によって緊張する。
緊張時の緊張力は、ジャッキ支圧台１３、ラムチェアー１４を通じて、アダプター２０に伝達される。
アダプター２０のラムチェアー１４を載せる環状面２４と定着ナット５を載せる環状面２５とは段差を成しているため、緊張力がその段差部分を図の矢印のように引張るように作用するため、捩れが発生しにくく、環状面２３がセンターホール荷重計１５にほぼ正確に緊張力を伝達し、荷重計１５によって緊張力を検知できる。
【００１６】
＜７＞アンカーヘッドの定着
ラムチェアー１４の側面の孔から、アンカーヘッド１の外周に螺合された定着ナット９を回転し、アダプター２０の環状面２５の上に接触させる。
この状態でジャッキ１２の緊張を緩めると、緊張材３は測定した値の緊張力のまま定着することになる。
緊張ナット１１を緊張ロッド１０から外し、ジャッキ１２、ジャッキ支圧台１３、ラムチェアー１４を撤去し、緊張ロッド１０も、アンカーヘッド１との螺合を解除して取り外す。
【００１７】
＜８＞アダプターの分離
受圧アダプター２０のうち、その外周側部分２２を、螺合を解除してその内周側部分２１から分離する。
緊張材３に作用する継続的な緊張力は、アンカーヘッド１の定着ナット５から受圧アダプター２０の内周側部分２１を介してセンターホール荷重計１５に伝わり、図３に示すように、荷重計１５の検知による緊張力の恒常的な観察が行える。
緊張力が低下したときは、受圧アダプター２の外周側部分２２を内周側部分２１に螺合して、アンカーヘッド１への緊張ロッド１０の螺合、ラムチェアー１４の受圧アダプター２０の環状面２４への設置、ジャッキ支圧台１３、ジャッキ１２の設置を順に行う。
緊張ロッド１０の外周に緊張ナット１１の螺合を行い、ジャッキ１２を作動してアンカーヘッド１ごと緊張材３を緊張する。
定着後はまた前記した手順により装置の解体を行う。
【実施例２】
【００１８】
図２に示すのは他の実施例であって、円環状の受圧アダプター２０の外周側部分に、ラムチェアー１４を載せる環状面２４と、その裏面側にセンターホール荷重計１５の上に載せる環状面２３を有している。
前記したラムチェアー１４を載せる環状面２４よりも、より支圧板４に近接する定着ナット５を載せる環状面２５を有している。
ラムチェアー１４を載せる環状面２４と、定着ナット５を載せる環状面２４は、段差を成している。
ジャッキ１２による緊張を行った後、定着ナット５を回転して受圧アダプター２０の定着ナット５を載せる環状面２４に接触させ、ジャッキ１２を緩める。
引張材３に作用した緊張力は、アンカーヘッド１、定着ナット５を介して、受圧アダプター２０の段差部分を緊張方向へ引張るように作用する。
引張荷重は、曲げの影響を緩和し、ほぼ正確にセンターホール荷重計１５上に載った受圧アダプター２０の環状面２３に伝わり、圧縮荷重として荷重計１５による緊張力の継続的な観察が行える。
【図面の簡単な説明】
【００１９】
【図１】受圧アダプターを使用した緊張時の緊張力測定状態の断面図
【図２】他の受圧アダプターを使用した緊張時の緊張力測定状態の断面図
【図３】受圧アダプターの内周側部分のみを残した継続的緊張力測定状態の断面図
【図４】従来のアダプターを使用した緊張時の緊張力測定状態の断面図
【図５】従来のアダプターを使用した継続的緊張力測定状態の断面図
【符号の説明】
【００２０】
１：アンカーヘッド
２：クサビ型保持部
３：緊張材
４：支圧板
５：定着ナット
１０：緊張ロッド
１１：緊張ナット
１２：油圧ジャッキ
１３：ジャッキ支圧台
１４：ラムチェアー
１５：センターホール荷重計
２０：受圧アダプター
２１：内周側部分
２２：外周側部分
２３、２４、２５：環状面
２６：起立部
【図１】
0003148878.tif 000003
【図２】
0003148878.tif 000004
【図３】
0003148878.tif 000005
【図４】
0003148878.tif 000006
【図５】
0003148878.tif 000007